(57)【要約】【課題】  滑り止めと防刃と指先にフィットする特性を持ち、これにより刃物を使った細かい作業が安全かつ手軽にできるようにする。【解決手段】  防刃指サック１は、一端側が閉塞し、他端側が開口した筒状体として形成され、外面３と内面５との間に防刃素材７が配置され又は埋め込まれていて、他端側の開口９から指を挿入することにより指に装着するものである。外面３側を滑り止め素材で形成することができるが、滑り止め及びフィット感のある同一の素材で両側を形成することもできる。【選択図】図１
2020111861.tif 000002
【特許請求の範囲】
【請求項１】
指サックであって、外面側が滑り止め性をなし、内面側が指先にフィットする伸縮性を備え、外面と内面との間の内部に刃物を通しにくい金属製等のガードが埋め込まれた状態となっている指サック。
【請求項２】
前記ガードは複数のガード部材を指サックの周方向に連続して又は隙間をあけて配置したものである請求項１に記載の指サック。
【請求項３】
前記ガードは長さ方向に波打つように蛇腹状に形成された針金等の線材を周方向に巻くようにして設けたものである請求項１に記載の指サック。
【請求項４】
前記ガードは長さ方向に波打つように形成された針金等の複数の線材を指サックの周方向に隙間をあけて配置したものである請求項１に記載の指サック。
【発明の詳細な説明】
【技術分野】
【０００１】  本発明は、刃物による指先の傷害を予防する、指サックに関する。
【背景技術】
【０００２】  指サックは、刃物を使った作業の際にその作業をより安全に行うために必要である。
先行技術において、作業用指サックがある。これは防刃素材であるステンレス銅針金やアラミド繊維糸、等からなる糸を編み上げて作られているため、防刃についての効果が十分にある。また前記の繊維に液体ゴムで表層を覆うことで、滑り止めとフィット感も一定程度あると考えられる。（特許文献１参照）【０００３】  また、刃物作業を安全に行うために彫刻刀保護カバーを使用することもある。彫刻刀保護カバーは、彫刻刀の周りに保護カバーを備えることで刃が彫刻刀を持っていない方の指に直接当たるのではなく保護カバーが先に当たるので、防刃についての効果はある程度あると言える。【０００４】  紙をめくるための指サックは、紙をめくるのに便利なように滑り止めとフィット感は備えているが、防刃機能は十分ではない。【０００５】  防刃手袋は、防刃に適した繊維を縫い合わせるなどして作られているため、防刃についての効果は十分である。
【先行技術文献】
【特許文献】
【０００６】
【特許文献１】特開昭６３−２５４０３０号公報
【発明の概要】
【発明が解決しようとする課題】
【０００７】  特許文献１に記載された作業用指サックは、防刃の素材が高価であり、またそれらを編み上げるといったことからも構成が複雑になり製作コストがかかる。また、編み上げる糸自体に針金が入れられているので、ここで示された方法では、伸縮性は極限られた範囲にとどまり、細かい作業には不向きであると考えられる。つまり、フィット感に課題があると言える。【０００８】  彫刻刀保護カバーは、保護カバーが刃先を覆っているため彫る箇所が見難くなる。そのため、カバーが邪魔になり作業する行為を阻害される。また、不意に刃先が走った場合には、保護カバーが添えている方の手に当たった次の瞬間に刃自体が指先に当たるため、刃先を止めることができず指先を傷つけることがある。【０００９】  紙をめくるための指サックは、そもそも防刃の目的はない。【００１０】  防刃手袋は、滑り止めとフィット感に劣るため、自分で簡単な細やかな作業に向かない。
【課題を解決するための手段】
【００１１】  本発明に係る指サックは、滑り止めになる素材で外面側が作られ、刃を通し難い素材を内部に備え、指先にフィットする素材で内面側が作られている。またこの構成はシンプルで、インサート成形などにより比較的低コストで作ることができ、彫刻刀などによる誤った動作に手を負傷することがなく、刃物を使った作業性を阻害することがなくなる。
【発明の効果】
【００１２】  本発明は、従来の発明の少なくともいずれか一つを解決している。つまり、滑り止めと防刃と指先にフィットする特性を持ち、これにより刃物を使った細かい作業が安全かつ手軽にできるようになる。
【図面の簡単な説明】
【図１】  本発明に係る防刃指サックを概念的に示す図である。
【図２】  防刃指サックの具体的な構成を示す図である。
【図３】  防刃指サックの別の具体的な構成を示す図である。
【図４】  防刃素材の具体的な構成を示す図である。
【図５】  防刃素材の別の具体的な構成を示す図である。
【発明を実施するための形態】
【００１３】  次に図面を参照して本発明の実施の形態を説明する。
【００１４】  まず、図１を参照して本発明に係る防刃指サックを概略的に説明する。
防刃指サック１は、一端側が閉塞し、他端側が開口したゴム又はプラスチック等の柔軟で弾性を有する材料で形成された筒状体として形成され、外面３と内面５との間に防刃素材７が配置され又は埋め込まれていて、他端側の開口９から指を挿入することにより指に装着するものである。外面３側を滑り止め素材で形成することができるが、滑り止め及びフィット感のある同一の素材で両側を形成することもできる。
【００１５】  図２以下で防刃指サック１のより具体的な構成を説明する。
【００１６】  図２は外側のサック体１１に内側のサック体１３が挿入された状態となって防刃指サック１を構成している。図２（ａ）では、内側のサック体１３の外面に防刃素材７が取り付けられていて、外側のサック体１１に内側のサック体１３を挿入したときに防刃素材７が内外のサック体１１及び１３の間に位置することとなる。
図２（ｂ）では、外側のサック体１１の内面に防刃素材７が取り付けられている。
内外のサック体１１、１３は同一の素材製とすることも異なる素材製とすることもできる。
【００１７】  図３は、外面３と内面５を有し、同一の素材で一体的に形成されている防刃指サック１を示している。防刃素材７は、外面３と内面５との間にインサートされて配置されている。また、外面３側と内面５側を別々に形成して、外面３側と内面５側の素材を異なったものとしてもよい。
【００１８】  図４及至図６は、防刃素材７の具体的な構成を示す図である。
【００１９】  図４に示す防刃素材７は、細長い薄いプラスチック製素材等１５を周方向に間隔を開けて全周にわたって配置したものであり、それぞれの素材１５は開口から又は開口近くから先端閉塞部まで又は先端閉塞部近くまで延びている。なお、プラスチック製素材等１５は全周にわたって隈なく、四分の三周程度、半周程度又は四分の一程度にわたるように配置することもできる。さらに、プラスチック製素材等１５を間隔を開けずに又はほとんど間隔を開けずに配置することもできる。
【００２０】  図５（ａ）に示す防刃素材７は、針金等の線材を長さ方向に波打つように蛇腹状に形成し（符号１７参照）、全周にわたり、四分の三周程度にわたり、半周程度にわたり又は四分の一周程度にわたって配置したものである。
【００２１】  図５（ｂ）に示す防刃素材７は、針金等の線材を長さ方向に波打つように幅の狭い蛇腹状に形成し（符号１９参照）全周にわたり、四分の三周程度にわたり、半周程度にわたり又は四分の一周程度にわたって連結し、又は周方向に間隔を開けて配置したものである。
【００２２】  なお、指サック本体（防刃素材７以外の防刃指サック１の部分）を周方向に複数に区分し、それぞれの区分を別の材料で、又は一部の区分を他の区分と別の材料で形成してもよい。
【００２３】  作業用指サックは、工作や調理などにも使うことができる。
【符号の説明】
【００２４】１    防刃指サック
２    外面
３    内面
４    防刃素材
【図１】
2020111861.tif 000003
【図２】
2020111861.tif 000004
【図３】
2020111861.tif 000005
【図４】
2020111861.tif 000006
【図５】
2020111861.tif 000007